(57)【要約】【課題】  燃料油タンク内の燃料油中に、水が混在しているか否かを容易に判定することができる、油中における水の有無判定装置を提供する。【解決手段】  内部にフィルタが設けられる透明なケース部材と、このケース部材の開口部に結合部材を介して着脱自在に装着される油供給部材とから構成されるこの油中における水の有無判定装置であって、前記透明なケース部材は、その内部に水溶性色素を担持させた判定部材もしくは水との接触によって変色する素材で構成された判定部材を有する。かかる構成を採用することによって、前記ケース部材内に流入した燃料油は、前記判定部材と接触し、燃料油中に水が混在している場合には、混在している水のみが水溶性色素によって着色されるか、もしくは混在している水と接触した判定部材が変色する。  したがって、燃料油中に水が混在していることを、前記ケース部材を介して目視により容易に確認することができる。【選択図】      図３
2016133236.tif 000002
【特許請求の範囲】
【請求項１】
内部にフィルタが設けられる透明なケース部材と、このケース部材の開口部に結合部材を介して着脱自在に装着される油供給部材とから構成されるものであって、
前記透明なケース部材は、その内部に水溶性色素を担持させた判定部材、もしくは水との接触によって変色する素材で構成された判定部材を有すること
を特徴とする油中における水の有無判定装置。
【請求項２】
前記判定部材は、
前記フィルタの外側面の、下端から３分の１以下の範囲に設けられること
を特徴とする請求項１に記載の油中における水の有無判定装置。
【請求項３】
前記判定部材は、
色素を含んだ担体からなること
を特徴とする請求項１に記載の油中における水の有無判定装置。
【請求項４】
前記担体は、
濾材、シート状の不織布又はペレットからなること
と特徴とする請求項３に記載の油中における水の有無判定装置。
【請求項５】
前記油供給部材は、
上面部に燃料油の流入口を有し、一端側を調整バルブの装着部とし、他端側を燃料油の供給部としたパイプ部材からなるもので、
その底面部の中央に上下が開口したフィルタ装着部を、その上部開口部が前記供給部内に、下部開口部が前記ケース部材内に位置するよう形成し、
前記調整バルブ側のパイプ部材の底面には、燃料油の油導入部を形成するとともに、前記パイプ部材内には、前記流入口から供給された燃料油を、前記油導入口側にのみ供給する隔壁を有し、
前記油導入口に供給する燃料油を、前記調整バルブで制御するよう構成されていること
を特徴とする請求項１に記載の油中における水の有無判定装置。
【請求項６】
前記調整バルブは、
その先端部に、前記油導入口に流れる燃料油を阻止もしくは燃料油の流量を制御する阻止部が設けられていること
を特徴とする請求項５に記載の油中における水の有無判定装置。
【請求項７】
前記油供給部材は、
パイプ部材の裏面部に短筒状の取付け部を有し、この取付け部に前記ケース部材の開口部を挿入させ、両者を結合部材で一体化させるよう構成されていること
を特徴とする請求項１に記載の油中における水の有無判定装置。
【発明の詳細な説明】
【技術分野】
【０００１】
この発明は、燃料油中に水が混在しているか否かを判定することができる、油中における水の有無判定装置に関するものである。
【背景技術】
【０００２】
従来、例えば、灯油などの燃料油を用いた暖房装置が多く利用されている。
特に、寒冷地においては、より高い燃焼エネルギーを必要とするため、屋外に大型の燃料油タンクを設置し、配管を介して屋内の暖房装置などに燃料油を供給する形式のものが多く利用されている。
【０００３】
このような屋外設置型の燃料油タンクにおいては、燃料油を充填する際に、給油口近辺に積もった雪の一部が混入したり、あるいは水滴が一部混入したりする可能性が高く、タンクの構造上からも、この水の混入を完全に防止することは事実上不可能である。
しかも、水は燃料油に比較して比重が大きいため、混入した水は、タンクの底部に溜まることになる。
このように混入した水が燃焼装置に送られると、燃焼装置の異常燃焼あるいは燃焼停止などの不都合を生じるおそれがある。
【０００４】
かかる現状に鑑み、屋外設置型の燃料油タンク内に混在する水を、検知する方法の一例が特許文献１に開示されている。
【０００５】
例えば、特開２００５−０７５３９４号公報（特許文献１）には、給油タンクへの水の流入を防止するとともに、補給した灯油に水が混入していた場合でも、これを検知して、石油燃焼機器の損傷及び給油タンクの錆発生を未然に防ぐことができる、石油燃焼機器の給油タンクが提案されている。
【０００６】
この特許文献１に記載の給油タンクは、燃料を貯める給油タンクであって、該給油タンクに燃料を補給する補給口を備え、前記補給口に設けたフィルタに、水を検知する水検知部を一体に形成したことを特徴としたものである。
【先行技術文献】
【特許文献】
【０００７】
【特許文献１】特開２００５−０７５３９４号公報（請求項１，図１，２）
【発明の概要】
【発明が解決しようとする課題】
【０００８】
前記特許文献１に記載の給油タンクは、具体的には、特許文献１の図１で明らかなように、その上部斜面部に燃料を補給する補給口を備えるものであって、この補給口内に設けたフィルタの下方部に、水を検知する水検知部（水溶性塗料の塗布部）を一体に形成したものである。
しかしながら、灯油中に混在する水は、灯油に比較して比重が大きく、タンクの底部に溜まるので、前記水検知部によって混在する水の検知は、容易ではない。
【０００９】
この発明はかかる現状に鑑み、燃料油タンク内の燃料油中に、水が混在しているか否かを容易に判定することができる、油中における水の有無判定装置の提供を目的とするものである。
【課題を解決するための手段】
【００１０】
前記目的を達成するため、この発明の油中における水の有無判定装置は、
内部にフィルタが設けられる透明なケース部材と、このケース部材の開口部に結合部材を介して着脱自在に装着される油供給部材とから構成されるものであって、
前記透明なケース部材は、その内部に水溶性色素を担持させた判定部材、もしくは水との接触によって変色する素材で構成された判定部材を有すること
を特徴とするものである。
【００１１】
この発明の請求項２に記載の発明は、
請求項１に記載の油中における水の有無判定装置において、
前記判定部材は、
前記フィルタの外側面の、下端から３分の１以下の範囲に設けられること
を特徴とするものである。
【００１２】
この発明の請求項３に記載の発明は、
請求項１に記載の油中における水の有無判定装置において、
前記判定部材は、
色素を含んだ担体からなること
を特徴とするものである。
【００１３】
この発明の請求項４に記載の発明は、
請求項３に記載の油中における水の有無判定装置において、
前記担体は、
濾材、シート状の不織布又はペレットからなること
を特徴とするものである。
【００１４】
この発明の請求項５に記載の発明は、
請求項１に記載の油中における水の有無判定装置において、
前記油供給部材は、
上面部に燃料油の流入口を有し、一端側を調整バルブの装着部とし、他端側を燃料油の供給部としたパイプ部材からなるもので、
その底面部の中央に上下が開口したフィルタ装着部を、その上部開口部が前記供給部内に、下部開口部が前記ケース部材内に位置するよう形成し、
前記調整バルブ側のパイプ部材の底面には、燃料油の油導入部を形成するとともに、前記パイプ部材内には、前記流入口から供給された燃料油を、前記油導入口側にのみ供給する隔壁を有し、
前記油導入口に供給する燃料油を、前記調整バルブで制御するよう構成されていること
を特徴とするものである。
【００１５】
この発明の請求項６に記載の発明は、
請求項５に記載の油中における水の有無判定装置において、
前記調整バルブは、
その先端部に、前記油導入口に流れる燃料油を阻止もしくは燃料油の流量を制御する阻止部が設けられていること
を特徴とするものである。
【００１６】
この発明の請求項７に記載の発明は、
請求項１に記載の油中における水の有無判定装置において、
前記油供給部材は、
パイプ部材の裏面部に短筒状の取付け部を有し、この取付け部に前記ケース部材の開口部を挿入させ、両者を結合部材で一体化させるよう構成されていること
を特徴とするものである。
【発明の効果】
【００１７】
この発明にかかる油中における水の有無判定装置は、燃料油タンク、特に、屋外設置型の灯油タンクの底部に配設されるものであって、前記燃料油タンクと連結するための油供給部材と、前記油供給部材の下部に着脱自在に取り付けられる、上方が開口した透明の樹脂素材からなるケース部材と、前記ケース部材内に配設されるフィルタとで構成され、前記ケース部材内に、水溶性色素を担持したか、もしくは水との接触によって変色する素材で構成された、燃料油中に水が混在しているか否かを判別するための判定部材を備えている。
したがって、前記ケース部材内に流入した燃料油は、前記判定部材と接触し、燃料油中に水が混在している場合には、混在している水のみが水溶性色素によって着色されるか、もしくは混在している水と接触した判定部材が変色する。
よって、燃料油中に水が混在していることを、前記ケース部材を介して目視により容易に確認することができ、燃料油中に含まれる水による燃焼装置の異常燃焼や燃焼停止の危険性がない。
また、前記フィルタは、水を含むとフィルタとしての効果を十分に発揮することができない傾向にあるが、この発明にかかる油中における水の有無判定装置によれば、前記着色又は変色の有無によってフィルタが水を含むか否かを判定することができるので、フィルタの交換時期が明瞭に分かる。
【図面の簡単な説明】
【００１８】
【図１】この発明にかかる油中における水の有無判定装置が配設される、燃料油タンクの一例を示す正面図である。
【図２】この発明にかかる油中における水の有無判定装置の一例を示す正面図である。
【図３】図２に示す油中における水の有無判定装置の縦断面図である。
【図４】この発明にかかる油中における水の有無判定装置に使用されるフィルタの他の例を示す正面図である。
【図５】この発明にかかる油中における水の有無判定装置に使用されるフィルタの他の例を示す正面図である。
【発明を実施するための形態】
【００１９】
以下、この発明にかかる油中における水の有無判定装置の実施例を、添付の図面に基づいて具体的に説明する。
なお、この発明は、以下の実施例にのみ限定されるものではなく、この発明の要旨を変更しない範囲内で種々変更を加えることができるものである。
【００２０】
この発明にかかる油中における水の有無判定装置（以下、「判定装置」という。）２は、屋外に設置される燃料油タンク１の底部に配設されるものである。
前記燃料油タンク１は、図１に示すように、例えば、側面視逆Ｙ字状の支持体Ｐに両側面が支承されたタンク主体Ｔの上部に、給油口１ａと、油量計１ｂおよび通気管１ｃとを有し、底部の送油口１ｄに、水抜きアダプター１ｅを介して、この発明にかかる判定装置２を備えたものである。
【００２１】
前記判定装置２は、特に、図３で明らかなように、内部にフィルタ３が内装される上部が開口した筒状のケース部材４と、このケース部材４の上部開口部に装着される油供給部材５と、前記油供給部材５をケース部材４に固定するための結合部材６とから構成されている。
【００２２】
前記ケース部材４は、上部が開口した有底円筒状の透明な部材からなるものであって、前記油供給部材５の下部を支持するためのフランジ４ａが、開口部近傍の外周に一体的に形成されたものである。
なお、このケース部材４は、有底でかつ透明な素材であれば、その形状については特段の制限はない。
【００２３】
前記ケース部材４は、その中心部にフィルタ３を有するものである。
前記フィルタ３は、濾材からなるエレメントを円筒状に形成し、その上部をトッププレート３ａで、下部をボトムプレート３ｂによって固定したもので、後述する油供給部材５の底部の中央に設けられるフィルタ装着部７に、前記トッププレート３ａを係着させることによって、前記ケース部材４内の中央部に保持するものである。
【００２４】
前記油供給部材５は、図２で明らかなように、平面が円形状をなし、その上面の直径方向に、パイプ部材を一体的に装着し、一端側を調整バルブ１０の装着部５ａとし、他端側を燃料油の供給部５ｂとするとともに、当該パイプ部材の上部に燃料油の流入口５ｄを設けたものである。
【００２５】
かかる油供給部材５は、その底面の中央部に、上部の開口部を前記供給部５ｂと連通させ、下部の開口部を、前記底面を貫通して下方に突出させた筒状のフィルタ装着部７が形成され、前記供給部５ｂと反対側の、前記短筒部５ｃの内側壁に接して油導入口８が形成されている。
【００２６】
さらに、前記フィルタ装着部７の上部開口部の前記調整バルブ１０側は、前記流入口５ｄから供給される燃料油が、前記油導入口８のみからケース部材４に供給され、前記供給部５ｂ側に流れないよう隔壁９によって完全に区画されている。
したがって、前記流入口５ｄから供給された燃料油は、油導入口８を介して前記ケース本体４に供給され、しかるのち、フィルタ３を介してのみ前記供給部５ｂに供給されるものである。
【００２７】
前記調整バルブ１０は、図３で明らかなように、ナット１０ａによって前記装着部５ａに固定されるもので、当該調整バルブ１０の先端部には、前記油導入口８への燃料油の供給を阻止する阻止部１０ｂが付設され、矢印方向に移動させることによって、油導入口８への燃料油の供給を阻止するものである。
【００２８】
さらに、前記調整バルブ１０の装着側の内底面上に油導入口８の開口度合いを、前記調整バルブ１０の先端部によって調節し、供給される燃料油の量を制御するよう構成されている。
【００２９】
前記油供給部材５は、図３で明らかなように、供給された燃料油が前記液導入口８側にのみ流れ、直接供給部５ｂ側に流入しないよう隔壁９によって区画されている。
その際、前記調整バルブ１０の先端側の開口部を、中心に透孔を有する隔壁（図示せず）で閉止し、前記調整バルブ１０の先端部を前記透孔に当接させることによって、燃料油の供給をストップさせるよう構成してもよい。
【００３０】
一方、前記供給部５ｂは、前記フィルタ３の前記装着部７と連通しているもので、前記フィルタ３を構成する、内部が中空のエレメントの側面または／および底部の開口部を介して、送られる燃料油を受け入れ、室内の暖房装置（図示せず）に供給するものである。
【００３１】
前記油供給部材５は、裏面の中央部に垂設したフィルタ装着部７にフィルタ３の上部のエンドプレート３ａを外嵌させることによってフィルタ３を固定し、しかるのち、短筒部５ｃの先端を、Ｏリングを介してケース部材４のフランジ４ａに当接させ、結合部材６によって判定装置２を構成するものである。
【００３２】
その際、前記フィルタ３のボトムプレート３ｂの下面に、水溶性の色素を担持させた判定部材１１が取付けられる。
この判定部材１１は、水溶性の色素を担持させたシート状のもので、水が混在した燃料油に接触すると、混在している水のみが水溶性の色素によって着色されるので、燃料油中の水の存在を目視によって簡単かつ容易に確認することができる。
【００３３】
この実施例においては、前記判定部材１１は、前記フィルタ３のボトムプレート３ｂの裏面に装着しているが、装着位置はフィルタ３の外側面、好ましくはその下端から３分の１以下の範囲である。
具体的には、図４に示すように、前記フィルタ３の外側面の下端から３分の１以下の範囲に、判定部材として、水溶性の色素を担持させたシート状の濾材１１ａを巻き付けてもよい。
あるいは、図５に示すように、前記フィルタ３の外側面の適当な位置に、判定部材として、水溶性の色素を担持させた濾材１１ｂを、鉛直方向に沿って１または複数設けてもよい。
さらに、この実施例においては、前記判定部材１１は、水溶性の色素を担持させたものとしたが、水との接触によって変色する素材で構成されたものであっても、同様の効果が得られる。このような素材としては、例えば、リトマス紙が挙げられる。
【００３４】
なお、この発明においては、前記判定部材１１は、不織布に水溶性の色素を担持させているが、前記のように、濾材に水溶性の色素を担持させて、これを前記フィルタ３の外側面に設ける他、前記判定部材１１にペレットなどの素材を選択し、これをケース部材４の底部に設けてもよい。
さらに、前記フィルタ３を交換する場合には、前記手順を逆に行えばよい。
【００３５】
以下、かかる油中混在水判定装置２を使用して、燃料油タンク内の燃料油中に水が混在しているか否かを判定する方法について説明する。
【００３６】
燃料油タンク内の燃料油は、適宜手段によって前記流入口５ｄを介して判定装置２内に入り、前記油導入口８からケース部材４内に流入し、前記フィルタ３の外側面もしくはエンドプレート３ｂの開口部から内部空洞内を介して前記フィルタ装着部７、前記供給部５ｂおよびパイプからなる連結部材（図示せず）を介して室内の燃焼装置に供給される。
【００３７】
したがって、燃料油タンクから前記判定装置２内に供給された燃料油中に、水が混在している場合には、混在する水が前記判定部材１１と接触することによって、特定の色に着色されるか又は前記判定部材１１が特定の色に変色するので、直ちに燃料油の供給を中止することで、燃焼装置の異常をストップさせることができる。
さらに、前記着色又は変色が認められた場合には、フィルタが水を含んだ状態にあることを視認することができるので、前記フィルタは、フィルタとしての効果を十分に発揮することができず、フィルタを交換すべきことが明瞭に分かる。
【００３８】
特に、この発明における油中における水の有無判定装置２は、前記透明なケース部材４内に、燃料油内に含まれる水の有無を判別する判定部材１１が設けられているので、燃料油中の水の有無を目視によって的確に判断することができる。
【産業上の利用可能性】
【００３９】
この発明にかかる油中における水の有無判定装置は、油中に水が混入しているか否かを目視で判定することができるので、屋外設置型の燃料油タンクなどに適用できる判定装置として幅広く利用されるものである。
【符号の説明】
【００４０】
１        燃料油タンク
１ａ      給油口
１ｂ      油量計
１ｃ      通気管
１ｄ      送油口
１ｅ      水抜きアダプター
２        油中における水の有無判定装置
３        フィルタ
３ａ      トッププレート
３ｂ      ボトムプレート
４        ケース部材
４ａ      フランジ
５        油供給部材
５ａ      装着部
５ｂ      供給部
５ｃ      短筒部
５ｄ      流入口
６        結合部材
７        フィルタ装着部
８        油導入部
９        隔壁
１０        調整バルブ
１０ａ      ナット
１０ｂ      阻止部
１１        判定部材
Ｐ        支持体
Ｔ              タンク主体
【図１】
2016133236.tif 000003
【図２】
2016133236.tif 000004
【図３】
2016133236.tif 000005
【図４】
2016133236.tif 000006
【図５】
2016133236.tif 000007